(57)【要約】【課題】  ナースコール親機から担当看護師の携帯端末に容易に呼び出しをかけることができ、また特定の複数の患者に対しても容易に呼び出しをかけることができるナースコールシステムを提供する。【解決手段】  制御機３は、看護師ＩＤと携帯端末２の番号情報とを関連付けた看護師・携帯情報が記憶されるメモリを有し、ナースコール親機１の操作により携帯端末２を呼び出す携帯端末呼出モードに移行し、移行した状態でナースコール親機１により看護師ＩＤが選択操作されたら、記憶している看護師・携帯情報に従って看護師ＩＤに対応した番号の携帯端末２を呼出操作する。【選択図】  図１
2010057189.tif 000002
【特許請求の範囲】
【請求項１】
患者が看護師を呼び出すためのナースコール子機と、患者からの呼び出しに応答するためのナースコール親機及び看護師が携行する携帯端末と、前記ナースコール親機を制御する制御機と、を有するナースコールシステムであって、
前記制御機は、個々の患者に対応して看護師毎に割り付けられた看護師ＩＤと、前記携帯端末の番号情報とを関連付けた看護師・携帯情報が記憶される記憶手段を有し、更に前記制御機は、前記ナースコール親機の所定の操作により、前記携帯端末を呼び出す携帯端末呼出モードに移行し、移行した状態で前記ナースコール親機により前記看護師ＩＤが選択操作されたら、前記看護師・携帯情報に従って、前記看護師ＩＤに対応した番号の前記携帯端末を呼出操作する制御手段を備えたことを特徴とするナースコールシステム。
【請求項２】
患者が看護師を呼び出すためのナースコール子機と、患者からの呼び出しに応答するためのナースコール親機及び看護師が携行する携帯端末と、前記ナースコール親機を制御する制御機と、を有するナースコールシステムであって、
前記制御機は、前記ナースコール子機からの呼び出しに対して、前記ナースコール親機、或いは前記携帯端末の何れからも応答がない場合に、前記携帯端末の呼び出し先を順次切り替えて呼び出しをするために、患者を識別可能な患者識別情報と前記携帯端末の呼出順序とを関連づけた患者・スライド呼出情報が記憶される記憶手段を有し、
更に前記制御機は、前記ナースコール親機の所定の操作により、前記携帯端末を呼び出す携帯端末呼出モードに移行し、移行した状態で前記ナースコール親機により前記患者識別情報が選択操作されたら、前記患者・スライド呼出情報に従って前記選択した患者に対応した前記携帯端末の呼び出しを順次実施する制御を行う制御手段を備えたことを特徴とするナースコールシステム。
【請求項３】
患者が看護師を呼び出すためのナースコール子機と、患者からの呼び出しに応答するためのナースコール親機及び看護師が携行する携帯端末と、前記ナースコール親機を制御する制御機と、を有するナースコールシステムであって、
前記制御機は、個々の患者に対応した看護師チームの情報と携帯端末の番号情報を関連付けた看護チーム・携帯情報が記憶される記憶手段を有し、更に前記制御機は、前記ナースコール親機の所定の操作により、前記携帯端末を呼び出す携帯端末呼出モードに移行し、移行した状態で前記ナースコール親機が操作されて前記看護師チームが選択操作されたら、前記看護チーム・携帯情報に従って、選択した前記看護師チームに対応した前記携帯端末を呼び出す制御を行う制御手段を備えたことを特徴とするナースコールシステム。
【請求項４】
患者が看護師を呼び出すためのナースコール子機と、患者からの呼び出しに応答するためのナースコール親機及び看護師が携行する携帯端末と、前記ナースコール親機を制御する制御機と、を有するナースコールシステムであって、
前記制御機は、患者を識別可能な患者識別情報と看護師毎に割り付けられた看護師ＩＤ情報とを関連付けた患者・看護師情報が記憶される記憶手段を有し、
前記制御機は、前記ナースコール親機の所定の操作により複数患者に放送を行う一斉放送モードに移行し、移行した状態で前記ナースコール親機により前記看護師ＩＤが選択操作されたら、前記患者・看護師情報に従って選択した看護師が担当する全ての患者に放送する制御を行う制御手段を備えたことを特徴とするナースコールシステム。
【請求項５】
前記記憶手段に記憶される情報は、看護師の勤務時間帯毎に設定可能であることを特徴とする請求項１乃至請求項４記載何れか１項記載のナースコールシステム。
【発明の詳細な説明】
【技術分野】
【０００１】
本発明は、ナースコールシステムに関し、特に携帯端末を備えて個々の看護師を呼び出し可能としたナースコールシステムに関する。
【背景技術】
【０００２】
看護師個々にＰＨＳ（パーソナル ハンディーホン システム）を利用した携帯端末を携行させて、患者からの呼び出しを速やかに担当看護師に知らせるナースコールシステムが普及している。従来のこのようなナースコールシステムは、患者がナースコール子機を操作して呼出操作が成されたら、ナースステーションに設置されたナースコール親機に呼び出しが掛かると同時に、関係する携帯端末にも呼び出しが掛かるようになっている（例えば、特許文献１参照）。また、このようなナースコールシステムにおいて、ナースコール親機から携帯端末を呼び出す場合は、呼び出す番号を入力することで実施していた。
一方で、ナースコール親機から患者（ナースコール子機）を呼び出す場合、患者個々に呼び出しを掛ける方式や、全ての患者に一斉に呼び出しを掛ける（放送する）方式があった。また、それ以外に、特許文献２では、特定のグループを予め設定しておき、そのグループ毎に呼び出しを掛ける（放送する）形態が提案されている。
【先行技術文献】
【特許文献】
【０００３】
【特許文献１】特開２００２−２４６９７３号公報
【特許文献２】特開平１１−２９０３９９号公報
【発明の概要】
【発明が解決しようとする課題】
【０００４】
上述するように、携帯端末を備えた従来のナースコールシステムの場合、ナースコール親機から携帯端末を呼び出す場合、該当看護師の携帯端末の番号を入力することで携帯端末に呼び出しをかけることができたが、患者の担当看護師が何番の携帯端末を携行しているか判らなかったり、呼出操作が面倒であったため、調べている間に何れの患者の応対であったか忘れてしまったりする虞があった。
また、特定の複数の患者を呼び出す場合、特許文献２に開示されている技術により、予め設定されたグループの患者を一斉に呼び出す（放送する）ことが可能であるが、グループ設定が判りづらかったり、呼出操作が面倒であったりした。
【０００５】
そこで、本発明は、上述する難点を解消するためになされたもので、ナースコール親機から担当看護師の携帯端末に容易に呼び出しをかけることができ、また特定の複数の患者に対しても容易に呼び出しをかけることができるナースコールシステムを提供することを目的とする。
【課題を解決するための手段】
【０００６】
上記課題を解決する為に、請求項１の発明は、患者が看護師を呼び出すためのナースコール子機と、患者からの呼び出しに応答するためのナースコール親機及び看護師が携行する携帯端末と、ナースコール親機を制御する制御機と、を有するナースコールシステムであって、制御機は、個々の患者に対応して看護師毎に割り付けられた看護師ＩＤと、携帯端末の番号情報とを関連付けた看護師・携帯情報が記憶される記憶手段を有し、更に制御機は、ナースコール親機の所定の操作により、携帯端末を呼び出す携帯端末呼出モードに移行し、移行した状態でナースコール親機により看護師ＩＤが選択操作されたら、看護師・携帯情報に従って、看護師ＩＤに対応した番号の携帯端末を呼出操作する制御手段を備えたことを特徴とする。
この構成により、担当看護師を選択することでその看護師が携行する携帯端末を呼び出しでき、簡易な操作で呼び出すことができる。また、看護師ＩＤは患者に関連付けられているので、呼び出し操作をした患者情報から看護師情報を取り出して呼び出すことも可能であり、携帯番号を探す面倒な作業が必要ない。
【０００７】
請求項２の発明は、患者が看護師を呼び出すためのナースコール子機と、患者からの呼び出しに応答するためのナースコール親機及び看護師が携行する携帯端末と、ナースコール親機を制御する制御機と、を有するナースコールシステムであって、制御機は、ナースコール子機からの呼び出しに対して、ナースコール親機、或いは携帯端末の何れからも応答がない場合に、携帯端末の呼び出し先を順次切り替えて呼び出しをするために、患者を識別可能な患者識別情報と携帯端末の呼出順序とを関連づけた患者・スライド呼出情報が記憶される記憶手段を有し、更に制御機は、ナースコール親機の所定の操作により、携帯端末を呼び出す携帯端末呼出モードに移行し、移行した状態でナースコール親機により患者識別情報が選択操作されたら、患者・スライド呼出情報に従って選択した患者に対応した携帯端末の呼び出しを順次実施する制御を行う制御手段を備えたことを特徴とする。
この構成により、患者識別情報の何れかを選択するだけで、担当する看護師、或いは関係する看護師を順次呼出操作するので、担当する看護師や関係する看護師が携行する携帯端末番号を調べ出して、その番号を入力する面倒な作業をすることなく、簡易な操作で関係看護師の誰かを確実に呼び出すことができる。
尚、患者識別情報とは、患者氏名、患者ＩＤ番号等、直接患者を識別する情報の他、病室のベッド番号情報等の患者を識別可能な情報を含む。
【０００８】
請求項３の発明は、患者が看護師を呼び出すためのナースコール子機と、患者からの呼び出しに応答するためのナースコール親機及び看護師が携行する携帯端末と、ナースコール親機を制御する制御機と、を有するナースコールシステムであって、制御機は、個々の患者に対応した看護師チームの情報と携帯端末の番号情報を関連付けた看護チーム・携帯情報が記憶される記憶手段を有し、更に制御機は、ナースコール親機の所定の操作により、携帯端末を呼び出す携帯端末呼出モードに移行し、移行した状態でナースコール親機が操作されて看護師チームが選択操作されたら、看護チーム・携帯情報に従って、選択した看護師チームに対応した携帯端末を呼び出す制御を行う制御手段を備えたことを特徴とする。
この構成により、看護師チームを選択するだけで、そのチームの個々の看護師の携行する携帯端末の呼び出しが成されるので、個々の看護師の携帯番号を調べることなく容易に呼び出しできる。
【０００９】
請求項４の発明は、患者が看護師を呼び出すためのナースコール子機と、患者からの呼び出しに応答するためのナースコール親機及び看護師が携行する携帯端末と、ナースコール親機を制御する制御機と、を有するナースコールシステムであって、制御機は、患者を識別可能な患者識別情報と看護師毎に割り付けられた看護師ＩＤ情報とを関連付けた患者・看護師情報が記憶される記憶手段を有し、制御機は、ナースコール親機の所定の操作により複数患者に放送を行う一斉放送モードに移行し、移行した状態でナースコール親機により看護師ＩＤが選択操作されたら、患者・看護師情報に従って選択した看護師が担当する全ての患者に放送する制御を行う制御手段を備えたことを特徴とする。
この構成により、看護師ＩＤを操作する簡易な操作で、その看護師に関連する全ての患者に一斉放送することができるので、放送する患者グループを別途選択したり患者を選び出してその患者毎に呼び出しを繰り返す面倒な操作が必要ない。
【００１０】
請求項５の発明は、請求項１乃至請求項４の何れかに記載の発明において、記憶手段に記憶される情報は、看護師の勤務時間帯毎に設定可能であることを特徴とする。
この構成により、勤務時間帯に応じて、適切な呼び出し或いは一斉放送が簡易な操作で実施できる。
【発明の効果】
【００１１】
本発明によれば、看護師ＩＤや患者識別情報を選択する簡易な操作で、担当する看護師を呼び出しでき、担当する看護師が携行する携帯端末番号を調べ出して、その番号を入力する面倒な作業をする必要がない。
また、看護師ＩＤを操作する簡易な操作で、担当する看護師が受け持つ全ての患者、或いは担当する看護師チームが受け持つ全ての患者に一斉放送することができ、患者グループを別途選択したり個々の患者を呼出操作する面倒な操作が必要ない。
【図面の簡単な説明】
【００１２】
【図１】本発明に係るナースコールシステムの実施形態の一例を示す構成図である。
【図２】図１の要部ブロック図である。
【図３】看護師・携帯端末情報の説明図である。
【図４】チーム・担当番号情報の説明図である、
【図５】担当番号・端末番号情報の説明図である。
【図６】勤務時間帯・担当情報の説明図である。
【図７】スライド呼出情報の説明図である。
【図８】患者看護情報の説明図である。
【図９】患者・携帯情報を示す図である。
【発明を実施するための形態】
【００１３】
以下、本発明を具体化した実施の形態を、図面に基づいて詳細に説明する。図１は、本発明に係るナースコールシステムの実施形態の一例を示すシステム構成図であり、１は患者からの呼び出しに応答するためのナースコール親機、２は個々の看護師が携帯して患者からの呼び出しに応答するための携帯端末、３は通話及びデータの送受信を制御する制御機、４は病室毎に設置される廊下灯、５は患者が看護師を呼び出すために各ベッドに設置されるナースコール子機、６はトイレに設置されるトイレ子機、７はＰＢＸ交換機、８は携帯端末２と通信するための無線基地局である。
【００１４】
ナースコール親機１は、患者毎に患者氏名や救護区分等の患者情報を表示する表示部１０ａと患者を選択操作する患者選択部１０ｂを備えたエスカッション１０、及びＬＣＤ（液晶表示部）１１を有するＬＣＤ親機１ａと、パーソナルコンピュータ（以下、ＰＣとする）からなり、ＬＣＤ親機１ａに比べて大画面のＬＣＤ１３を有するＰＣモニタ画面を備えたＰＣ親機１ｂとで構成されている。このＰＣ親機１ｂは、エスカッションをそのＬＣＤ１３に表示して、ＬＣＤ親機１ａのエスカッション１０と同様の操作が可能に構成されている。また、１４は患者と通話する為のハンドセットである。
【００１５】
また、図２は図１のシステムの要部ブロック図を示し、ナースコール親機１（１ａ，１ｂ）、制御機３をブロック図で示している。図２に示すように、ナースコール親機１のうち一方のＬＣＤ親機１ａは、ＬＣＤ１１に文字や絵を表示するためのＬＣＤ駆動回路１６、患者からの呼び出しにより呼出音を報音するための呼出音発生回路１７、ハンドセット１４に加えて患者とハンズフリー通話を可能とするスピーカ／マイク（ＳＰ／ＭＩＣ）１８、通話回路１９と、ＬＣＤ１１を利用して各種入力を行うためのタッチパネル２０、各回路を制御するＬＣＤ親機ＣＰＵ２１、そして制御機３に接続するためのＬＣＤ親機ＩＦ（インターフェイス）２２を備えている。
【００１６】
また、他方のＰＣ親機１ｂは、ＬＣＤ１３に文字や絵を表示するためのＬＣＤ駆動回路２４、患者からの呼出により呼出音を報音するための呼出音発生回路２５、ハンドセット１４に加えて患者とハンズフリー通話を可能とするスピーカ／マイク（ＳＰ／ＭＩＣ）１８、通話回路１９、ＬＣＤ１３を利用して各種入力を行うためのタッチパネル２６、ＰＣ親機１ｂの各部を制御するＰＣ親機ＣＰＵ２７、そして制御機３に接続するためのＰＣ親機ＩＦ（インターフェイス）２８を備えている。
そして、このように構成されたＬＣＤ親機１ａ、ＰＣ親機１ｂの双方から、患者情報や看護師情報、更に携帯端末情報を入力できる。
【００１７】
制御機３は、ナースコール親機１により入力された患者情報（患者識別情報）、看護師情報等の各種情報や、看護師をスライド呼び出しするスライド呼出情報、日勤、準夜勤、夜勤の看護師チーム情報等の勤務時間帯情報等を記憶するメモリ３０を備えている。３１は制御機３を制御する制御機ＣＰＵである。
メモリ３０は、例えば、図３に示すような看護師名と携帯端末の呼出番号とを関連づけて記憶した第１記憶部３０ａ、図４に示すような患者グループ毎に組まれる看護師チームと看護師毎に付される看護師ＩＤとしての担当番号とを関連づけて記憶した第２記憶部３０ｂ、図５に示すような担当番号と携帯端末の呼出番号とを関連付けて記憶した第３記憶部３０ｃ、図７に示すような携帯端末番号と担当番号とを呼び出す順序に従って勤務時間帯毎に関連づけて記憶した第４記憶部３０ｄ、図６に示すような患者名と担当番号と勤務時間帯とを関連づけて記憶した第５記憶部３０ｅを有している。
尚、この第５記憶部３０ｅの情報は、日付単位で設定され、図６は例えばＡチームの所定の日の勤務時間帯・担当情報を示している。また、図６において設定された患者名は、別途設定されているベッド番号と１：１で対応し、個々のベッドに設置されているナースコール子機５が関連付られている。
【００１８】
そして、上記メモリ３０に記憶される各種情報の入力は、ＬＣＤ親機１ａまたはＰＣ親機１ｂ、或いはナースコール用サーバ（図示しない）で行うことが可能となっている。ＬＣＤ親機１ａの場合は、エスカッション１０とタッチパネル２０とを組み合わせて患者ごとの設定が行われ、ＰＣ親機１ｂの場合は、タッチパネル２６で設定が行われる。そして、ナースコール用サーバではタッチパネル、マウス、キーボード等の所定の手段によって設定可能となっている。
【００１９】
一方、スライド呼出情報の設定は、看護師の勤務時間帯毎に設定され、図７は日勤の勤務時間帯における設定及びスライド呼出動作の表示画面を示している。図７のハッチングで示すように、例えば１回目の呼び出しは担当看護師である担当番号「１」の携帯端末番号「１０１」を呼び出した場合、スライドさせた２回目の呼び出しは携帯端末番号「１０２〜１０４」を呼び出す（画面ハッチング部を例えばタッチ操作することで設定される）。更に、３回目のスライド呼び出しは携帯端末番号「１０１〜１０５」を呼び出す。これは担当番号毎に記憶され、夫々の看護師に対して設定される。
【００２０】
尚、制御機ＣＰＵ３１は、上記図３〜図６の情報を基に図８に示す総合情報を日付毎に作成する。図８では、Ａチーム、Ｂチームの日勤、準夜勤、夜勤の勤務形態を表示している。このような総合情報を作成して表示させれば、患者、看護師、看護師チーム、携帯端末番号等を一覧で見ることができ、設定状態を把握し易くなる。
【００２１】
このような設定があらかじめなされている状態において、以下、ナースコール親機１から携帯端末２、或いは患者を呼出操作をした場合の動作を説明する。尚、以下の説明ではＬＣＤ親機１ａからの呼び出しを中心に説明するが、ＬＣＤ親機１ａのエスカッション１０での操作部分は、ＰＣ親機１ｂのタッチパネルの操作でも行うことができ、ＰＣ親機１ｂからも同様の呼出操作ができるようになっている。
【００２２】
＜ナースコール親機から携帯端末を呼ぶ場合＞
ナースコール親機１を所定の操作、例えばＬＣＤ親機１ａのタッチパネル２０の所定部位をタッチ操作することにより、ＬＣＤ親機１ａは携帯端末呼出モードに移行し、ＬＣＤ親機１ａから直接携帯端末２を呼び出すことが可能となる。そして、この状態において、以下の操作により携帯端末２の呼出形態を選択できる。
【００２３】
（１）担当単位エスカッション型呼び出し
携帯端末呼出モードに移行したのちに、患者に対応するエスカッション１０の患者選択ボタン１０ｂを選択、例えば患者氏名「患者ａ」の患者選択ボタン１０ｂを押下操作（ＰＣ親機１ｂの場合はタッチパネル２６をタッチ操作）すると、その情報がＬＣＤ親機ＩＦ２２を介して制御機３に送信される。制御機ＣＰＵ（制御手段）３１は、メモリ（記憶手段）３０に記憶された情報に従って、選択した患者を担当する看護師の担当番号例えば「１」に対応する携帯端末番号「１０１」を呼び出す制御を行う。これにより、ＰＢＸ交換機７、基地局８を介して携帯端末２に呼出がかかり、ナースコール親機１と通話を行うことができる。
この場合、メモリ３０に記憶されている情報のうち、図５の担当番号と携帯端末の関係情報と、図６の患者と担当番号の関係情報とを組み合わせた情報、例えば図９に示すような患者・携帯情報が作成されて使用される。具体的には、患者選択ボタン１０ｂが押下されたら、患者情報としてベッド番号情報が制御機３へ送られ、この情報に関連した看護師の携帯端末２が呼び出される。
このように、エスカッションの患者選択部を操作するするだけで、担当する看護師を呼び出すことができ、担当する看護師が携行する携帯端末番号を調べ出して、その番号を入力する面倒な作業をする必要がない。
【００２４】
（２）担当単位置数型呼び出し
携帯端末呼出モードに移行すると、ＬＣＤ１１上に看護師ＩＤ（担当番号）の一覧表が表示され、例えば「１」「２」・・・「８」が表示される。この担当番号のうち「１」をタッチパネル２０を用いてタッチ操作すると、この情報が制御機３に送信され、制御機ＣＰＵ（制御手段）３１は、この情報を基にメモリ（記憶手段）３０に記憶した情報に従って、担当番号「１」に対応する携帯端末番号「１０１」を呼び出す制御を行う。これにより、ＰＢＸ交換機７、基地局８を介して担当番号「１」に対応した携帯端末２に呼出がかかり通話を行うことができる。この場合、メモリ３０に記憶されている情報のうち、図５の担当番号と携帯端末の関係情報が看護師・携帯情報として使用される。
【００２５】
このように、看護師ＩＤを選択するだけで看護師が携行する携帯端末を選択して呼び出しでき、携帯番号を探す必要が無く、簡易な操作で呼び出すことができる。また、看護師ＩＤは患者に関連付けられているため、患者名を合わせて表示させた例えば図８に示す表を表示させれば、患者名から看護師ＩＤを選択することも可能である。
尚、担当番号を表示させることなく、タッチ操作等により看護師の担当番号を直接入力するようにしてもよい。
【００２６】
（３）スライド呼び出し
また、上記（１），（２）の呼び出し操作により、携帯端末を次のように呼出動作させても良い。ナースコール親機１で携帯端末呼出モードに移行させたのち、患者に対応するエスカッション１０の患者選択ボタン１０ｂを選択操作（ＰＣナース親機の場合はタッチ操作）することで、その情報がＬＣＤ親機ＩＦ２２を介して制御機３に送信される。
制御機ＣＰＵ（制御手段）３１は、メモリ（記憶手段）３０に記憶した情報に従って、携帯端末２への呼出を制御する。ここでは、第４記憶部３０ｄ、第５記憶部３０ｅに記憶している図７と図６の情報を利用して、呼び出し操作を１回目呼出から３回目呼出まで、応答があるまで順次行う（当然、呼出回数に制限はない）。これにより、応答があるまで患者に関係した看護師に対して呼び出しを順次かけることができる。この場合、メモリ３０に記憶されている情報のうち、図７のスライド呼出情報が、図６の患者名と担当番号情報と組み合わされて、患者・スライド呼出情報として使用される。
このように、エスカッションの患者選択部を操作するだけで、担当する看護師、或いは関係する看護師を順次呼び出すことができ、担当する看護師や関係する看護師が携行する携帯端末番号を調べ出して、その番号を入力する面倒な作業をすることなく、簡易な操作で関係看護師の誰かを確実に呼び出すことができる。
【００２７】
尚、エスカッション１０を使用せず、ＬＣＤ１１に担当番号を表示させて上記（２）と同様の操作をすることで看護師を順次呼び出すようにしてもよく、この場合、制御機ＣＰＵ（制御手段）３１はメモリ３０（記憶手段）に記憶した図７に示す情報に従って、携帯端末２への呼出を制御する。
また、担当看護師のみの呼出制御とするか、スライド呼出制御とするかは、予め設定しておけば良いし、携帯端末呼出モードに移行してから選択可能としても良い。
【００２８】
（４）チーム単位置数型呼び出し
携帯端末呼出モードに移行させた際に、看護師チームを呼び出す「チーム呼び出し」を選択することができる。これは、例えば、携帯端末呼出モードに移行したら、ＬＣＤ１１に選択ボタンを表示させて「チーム呼び出し」を選択すればよい。
このチーム呼び出しモードに入ったら、ＬＣＤ１１上に例えば図４に示す看護師チームを選択する画面が表示され、チーム名「Ａ」「Ｂ」「Ｃ」「Ｄ」が表示される。このチームのうち「Ａ」をタッチパネル２０を用いてタッチ操作すると、この情報が制御機３に送信される。制御機ＣＰＵ（制御手段）３１は、この情報を受けてメモリ（記憶手段）３０に記憶された看護師と携帯端末の情報に従って、チーム「Ａ」に対応する携帯端末番号「１０１」〜「１０６」「１０８」を呼び出す制御を行う。
これによりＰＢＸ交換機７、基地局８を介して携帯端末２に呼出がかかり、応答した何れかの携帯端末２とナースコール親機１は通話を行うことができる。この場合、メモリ３０に記憶されている情報のうち、図４のチームと担当番号の関係情報，図５の担当番号と携帯端末の関係情報を組み合わせた情報が看護チーム・携帯情報として使用される。
このように、看護師チームを選択するだけで、そのチームの個々の看護師の携行する携帯端末の呼び出しが成されるので、個々の看護師の携帯番号を調べることなく容易に呼び出しできる。また、看護師チーム情報は患者に関連付けられているため、例えば患者名を合わせて表示させれば、患者名から看護師チームを選択することも可能である。
【００２９】
（５）チーム単位エスカッション型呼び出し
携帯端末呼出モードに移行したのちに、患者に対応するエスカッション１０の患者選択ボタン１０ｂを選択、例えば患者名「患者ａ」の患者選択ボタン１０ｂを押下操作（ＰＣナース親機の場合はタッチ操作）すると、その情報がＬＣＤ親機ＩＦ２２を介して制御機３に送信される。制御機ＣＰＵ（制御手段）３１は、この情報を受けてメモリ（記憶手段）３０に記憶した情報に従って、選択した患者を受け持つ看護師チーム「Ａ」に対応する携帯端末番号「１０１」〜「１０６」「１０８」を呼び出す制御を行う。これによりＰＢＸ交換機７、基地局８を介して携帯端末２に呼出がかかり、応答した何れかの携帯端末２とナースコール親機１の間で通話を行うことができる。この場合、メモリ３０に記憶されている情報のうち、図３の看護師と携帯端末の関係情報、図４のチームと担当番号の情報、図５の担当番号と携帯端末の関係情報を組み合わせた情報が患者・看護チーム情報として使用される。
このように、エスカッションの患者選択部を操作する簡易な操作をするだけで、その患者に関係する看護師チームの携帯端末を呼び出すことができ、個々の看護師が携行する携帯端末番号を調べ出して、その番号を入力する面倒な作業をする必要がない。
【００３０】
＜ナースコール親機から一斉放送により患者を呼ぶ場合＞
患者を特定の単位で一斉に呼び出す（通知する）ためにナースコール親機１（ここではＬＣＤ親機）からナースコール子機５を呼び出す、即ち患者を呼び出す場合に、ＬＣＤ親機１ａを所定の操作、例えば、タッチパネル２０の所定部位をタッチ操作することにより、ＬＣＤ親機１ａは、同時に複数の患者を呼び出す一斉放送モードに移行する。この状態において、以下のいずれかの方法により携帯端末を呼び出すことができる。
【００３１】
（１）担当単位置数型呼び出し
一斉放送モードに移行すると、ＬＣＤ１１上に看護師ＩＤ（担当番号）の一覧表が表示され、例えば「１」「２」・・・「８」が表示される。この担当番号のうち「１」をタッチパネル２０を用いてタッチ操作すると、この情報が制御機３に送信される。制御機３の制御機ＣＰＵ（制御手段）３１は、この情報を受けてメモリ（記憶手段）３０に記憶された情報に従って、担当番号「１」に対応する患者名「患者ａ」「患者ｂ」「患者ｃ」「患者ｄ」「患者ｅ」が使用するナースコール子機５，５・・を呼び出す制御を行う。これにより廊下灯４を介してナースコール子機５に一斉放送を行うことができる。具体的には、ナースコール親機１から送られる音声がナースコール子機５の埋込型子機５ａに内蔵されているスピーカから出力され放送される。この場合、メモリ３０に記憶されている情報のうち、図６に示す患者と担当番号の関係情報が患者・看護師情報として使用される。
このように、看護師ＩＤを操作する簡易な操作で、その看護師に関連する全ての患者に一斉放送することができるので、放送する患者グループを別途選択したり患者を選び出してその患者毎に呼び出しを繰り返す面倒な操作が必要ない。
【００３２】
（２）担当単位エスカッション型呼び出し
一斉放送モードに移行したのちに、エスカッション１０の呼び出しに関係する患者の患者選択ボタン１０ｂを選択、例えば患者名「患者ａ」の患者選択ボタンを押下操作（ＰＣナース親機の場合はタッチ操作）すると、その情報がＬＣＤ親機ＩＦ２２を介して制御機３に送信される。制御機ＣＰＵ（制御手段）３１は、この情報を受けてメモリ（記憶手段）３０に記憶された情報に従って、選択した患者「患者ａ」を含め、その患者を担当する担当番号「１」の患者である患者名「患者ｂ」「患者ｃ」「患者ｄ」「患者ｅ」が使用するナースコール子機５を呼び出す制御を行う。これにより廊下灯４を介して看護師ａが担当する患者のナースコール子機５に一斉呼び出しを行うことができる。この場合、メモリ３０に記憶されている情報のうち、図６に示す患者と担当番号の関係情報が患者・看護師情報として使用される。
このように、エスカッションの患者選択部を操作する簡易な操作で、選択した患者を担当する看護師が受け持つ全ての患者に対して一斉放送ができ、放送する患者グループを別途選択したり患者を選び出してその患者毎に放送を繰り返す面倒な操作が必要ない。
【００３３】
（３）チーム単位エスカッション型呼び出し
上記（２）は、看護師が担当する患者に対して一斉に放送する場合を示したが、同様の操作で看護師チームが担当する患者に一斉放送するよう構成しても良い。この場合、（２）と同様に、一斉放送モードに移行したのちに、エスカッション１０の呼び出しに関係する患者の患者選択ボタン１０ｂを選択、例えば患者名「患者ａ」の患者選択ボタンを押下操作（ＰＣナース親機の場合はタッチ操作）すると、その情報がＬＣＤ親機ＩＦ２２を介して制御機３に送信される。制御機ＣＰＵ（制御手段）３１は、この情報を受けてメモリ（記憶手段）３０に記憶された情報に従って、選択した患者「患者ａ」を含め、その患者を受け持つ看護師チーム「Ａ」の患者「患者ｂ」「患者ｃ」「患者ｄ」「患者ｅ」・・・「患者ｍ」が使用するナースコール子機５，５・・を呼び出す制御を行う。これにより廊下灯４を介してナースコール子機５に一斉呼び出しを行うことができる。この場合、メモリ３０に記憶されている情報のうち、図４のチームと担当番号の関係情報、図６の患者と担当番号の関係情報を組み合わせた情報が患者・看護チーム情報として使用される。
【００３４】
尚、担当単位呼び出しとチーム単位呼び出しの双方が備わっている場合は、一斉放送モードに移行した時点でＬＣＤ１１に何れかを選択するようすれば良い。
このように、エスカッションの患者選択部を操作する簡易な操作で、操作した患者を担当する看護師が属する看護師チームが受け持つ全ての患者に対して一斉放送ができるので、放送する患者グループを別途選択したり患者を選び出してその患者毎に放送を繰り返す面倒な操作が必要ない。
【符号の説明】
【００３５】
１・・ナースコール親機、１ａ・・ＬＣＤ親機、１ｂ・・ＰＣ親機、２・・携帯端末、３・・制御機、５・・ナースコール子機、１０・・エスカッション、１０ａ・・表示部、１０ｂ・・患者選択部、１１，１３・・ＬＣＤ、２０・・タッチパネル、２１・・ＬＣＤ親機ＣＰＵ、２６・・タッチパネル、２７・・ＰＣ親機ＣＰＵ、３０・・メモリ（記憶手段）、３１・・制御機ＣＰＵ（制御手段）。
【図１】
2010057189.tif 000003
【図２】
2010057189.tif 000004
【図３】
2010057189.tif 000005
【図４】
2010057189.tif 000006
【図５】
2010057189.tif 000007
【図６】
2010057189.tif 000008
【図７】
2010057189.tif 000009
【図８】
2010057189.tif 000010
【図９】
2010057189.tif 000011